(57)【要約】【課題】投票場での受付の迅速性と正確性を実現すると共に、開票の迅速性を実現する選挙管理システムを提供する。【解決手段】本選挙管理システムは、選挙人の個人情報が記録された投票カード３と、郵便局４に設置され、投票カード３の区分け完了の数を査数する投票カード査数装置６と、投票場８に設置され、選挙人７が持参した投票カード３に記録された個人情報を読み取る受付リーダライタ９と、投票受付が完了した投票カードに候補者のデータを記録する投票ブース１０と、開票会場１５に設置され、投票カード３に記録された候補者のデータを読み取る開票リーダライタ１８とを備えている。【選択図】      図１
2005031923.tif 000002
【特許請求の範囲】
【請求項１】
選挙人の個人情報が記録された投票カードと、郵便局に設置されて前記投票カードの区分け完了の数を査数する投票カード査数装置と、投票場に設置されて前記選挙人が持参した投票カードに記録された個人情報を読み取る受付リーダライタと、投票受付が完了した投票カードに候補者のデータを記録する投票ブースと、開票会場に設置されて前記投票カードに記録された候補者のデータを読み取る開票リーダライタと、を備えたことを特徴とする選挙管理システム。
【請求項２】
前記選挙人が前記投票場に投票カードを持参した場合、該投票カードのデータを前記受付リーダライタにより読み取り、当該選挙人が正規の選挙人であることを確認すると、該投票カードに受付データを登録すると共に、記録されている個人情報を全て消去して前記投票カードを投票券とすることを特徴とする請求項１に記載の選挙管理システム。
【請求項３】
前記投票ブースは、前記候補者ごとに設置された投票ボタンと、押された投票ボタンに該当する候補者データを前記投票券に記録する投票リーダライタと、前記選挙人の意思により当該投票を無効にして再投票を要求する再投票ボタンと、投票後に前記投票券に記録された候補者名を表示する候補者表示部と、を備えたことを特徴とする請求項１に記載の選挙管理システム。
【請求項４】
前記選挙人は前記投票券を前記投票リーダライタに載置し、該当する選挙人の前記投票ボタンを押すことにより、前記受付データが登録されているか否かをチェックし、前記受付データが登録されている場合に限り、前記投票ボタンに該当する候補者のデータを前記投票券に記録し、該記録結果を前記候補者表示部に表示することを特徴とする請求項３に記載の選挙管理システム。
【請求項５】
前記選挙人が前記再投票ボタンを押すことにより、前記投票券に記録された候補者データを消去し、再度該当する選挙人の投票ボタンを押すことにより、前記投票ボタンに該当する候補者のデータを前記投票券に記録し、該記録結果を前記候補者表示部に表示することを特徴とする請求項３又は４に記載の選挙管理システム。
【請求項６】
前記投票カードは、磁化された磁気粉末により可視情報として表示窓に記録する可視磁気カードと、ループアンテナを介して、所定の変調方式に基づく搬送波を受信して内部電力を生成することにより、外部とのデータの授受を行う非接触ＩＣタグとを一体形成し、前記可視磁気カードの可視情報に選挙人名を記録し、前記非接触ＩＣタグに該選挙人の個人情報を記録することを特徴とする請求項１乃至５の何れか一項に記載の選挙管理システム。
【請求項７】
前記受付リーダライタにより受付が完了すると、前記投票カードに受付データを登録すると共に、前記選挙人名及び個人情報が消去されて投票券となり、該投票券の表示窓に可視情報として前記投票ボタンに該当する候補者名を表示することを特徴とする請求項６に記載の選挙管理システム。
【請求項８】
前記開票会場では、前記投票券に表示された候補者名を目視により確認して仕分けすると共に、前記投票券に記録されている候補者データを前記開票リーダライタにより計数し、前記仕分けされた各候補者ごとの得票数と開票リーダライタによる得票数が一致した場合に限り有効得票数として計数し、該有効得票数と無効票数の合計数と、前記受付リーダライタにより受付が完了した登録数とが一致した場合、前記有効得票数を候補者の得票数とすることを特徴とする請求項１乃至７の何れか一項に記載の選挙管理システム。
【請求項９】
前記投票カードは、ループアンテナを介して、所定の変調方式に基づく搬送波を受信して内部電力を生成することにより、外部とのデータの授受を行う非接触ＩＣタグであり、該非接触ＩＣタグに前記選挙人の個人情報を記録することを特徴とする請求項１乃至５の何れか一項に記載の選挙管理システム。
【請求項１０】
前記受付リーダライタにより受付が完了すると、前記投票カードは個人情報が消去されて投票券となり、該投票券に前記投票ボタンに該当する候補者データを記録することを特徴とする請求項９に記載の選挙管理システム。
【請求項１１】
前記開票会場では、前記投票券に記録されている候補者データを前記開票リーダライタにより計数し、有効得票数と無効投票数の合計と、前記受付リーダライタにより受付が完了した登録数とが一致した場合、前記有効得票数を候補者の得票数とすることを特徴とする請求項１乃至５の何れか一項又は請求項９又は１０に記載の選挙管理システム。
【発明の詳細な説明】
【０００１】
【発明の属する技術分野】
本発明は、選挙管理システムに関し、さらに詳しくは、投票及び得票の集計を自動化した選挙管理システムに関するものである。
【０００２】
【従来の技術】
国や地方公共団体における従来の住民投票においては、投票日前に予め選挙人に投票通知葉書が郵便局より送付される。このような選挙に際して郵便局は、投票通知葉書の枚数が選挙人数と一致しているか、投票通知葉書の券面確認など様々な業務を負担することとなる。投票日当日に、選挙人は郵送された投票通知葉書を持参して指定の投票会場に行き、投票通知葉書による本人確認を受けた上で、投票通知葉書と引き換えに受付で投票券を受け取る。その後、投票券に候補者名を記載して投票箱に投函して投票を完了する。投票会場では、投票終了時間がくると投票箱を封印し、開票会場にて選挙管理委員会の監視の下で投票箱を開封して開票作業が行われる。この開票作業は全て手作業により行われ、各候補者の得票が集計される。また現在電子データのみによる投票システムが一部地域にて試験的に採用されているが、情報ネットワークのみによるシステムでは保全性・安全性に限界があり、広く採用されるまでには到っていないのが現状である。
また従来の投票システムとして特開平８−１６６８１号公報には、個人情報及び選挙情報の記憶領域を有し、選挙人が個人で管理するカードの呈示により起動される電子投票システムに於いて、選挙投票の際に受付けたカードの記憶内容から投票の可否を判定する受付処理部と、この処理部で投票が可能であることを判定したとき、所定の手順に従い投票処理を実行して選挙人に投票を行なわせ、当該選挙の投票完了を上記カードの選挙情報記憶領域に記憶して選挙人に返却する投票処理部とを具備するシステムについて開示されている。
【０００３】
また、特開２００２−３１８８８０公報には、選挙人一人が被選挙人一人を選出する電子投票システムと電子投票方法にあって、二重選挙人の投票の防止を、真の投票者のプライバシーを保護しつつ電子的な投票及びサーベイの実施や集計が行えるシステムと、その方法について開示されている。それによると、選挙の種類、投票日など投票可能モードの情報が入力された情報カードを入場券の提示により選挙人に供与する行程と、この情報カードの情報を読み取るリーダａｎｄ／ｏｒリーダライタによって上記情報が入力されていることを確認する行程と、この確認が正しいものと判断されたとき、当該選挙の被選挙人ａｎｄ／ｏｒ政党などを選出する行為と、該選出した被選挙人ａｎｄ／ｏｒ政党で『否』か『よい』かを確認する手段と、『否』の場合選挙人ａｎｄ／ｏｒ政党などの表示パネルを、再度起動させる手段と、『よい』の場合選出した選挙人ａｎｄ／ｏｒ政党などが記述された投票用紙をプリントする手段と、当該投票用紙を投票箱に投入し、上記情報カードを返却する行程と、返却された情報カードの情報と同一であることを確認する手段とが開示されている。
【特許文献１】特開平８−１６６８１号公報
【特許文献２】特開２００２−３１８８８０公報
【０００４】
【発明が解決しようとする課題】
しかし、従来の投票方法では、受付から投票まで全て人手により行うため、受付に手間がかかり、時間帯によっては投票に来る人を長時間待たせるといった問題がある。また、それ以前に郵便局での投票通知葉書の枚数確認及び投票通知葉書の券面確認など様々な業務も人手により行っているため、郵便局員の負担も大きかった。
また特許文献１に記載の発明は、個人情報及び選挙情報の記憶領域を有するカードを選挙人が個人で管理し、投票の時にそのカードにより個人認証を行い、投票完了を上記カードの選挙情報記憶領域に記憶して２重投票を防止するものである。従って、このカードを持参すれば本人でなくとも投票が可能であるため、公正な選挙が必ずしも保障されるものではない。
また特許文献２に記載の発明は、入場券の提示により選挙人に情報カードを供与し、そのカードにより候補者を選択すると投票用紙に候補者の名前を印刷して出力されるものである。これは結果的に投票用紙による投票と変わらず、従来からの課題である開票の迅速性を実現することはできない。また、開票のために多くの人手が必要となり、従来技術の課題を解決するまでには到っていない。
本発明は、かかる課題に鑑み、投票場での受付の迅速性と正確性を実現すると共に、開票の迅速性を実現する選挙管理システムを提供することを目的する。
【０００５】
【課題を解決するための手段】
本発明はかかる課題を解決するために、請求項１は、選挙人の個人情報が記録された投票カードと、郵便局に設置されて、前記投票カードの区分け完了の数を査数する投票カード査数装置と、投票場に設置されて、前記選挙人が持参した投票カードに記録された個人情報を読み取る受付リーダライタと、投票受付が完了した投票カードに候補者のデータを記録する投票ブースと、開票会場に設置されて、前記投票カードに記録された候補者のデータを読み取る開票リーダライタとを備えたことを特徴とする。
選挙管理システムを総合的に改善するには、投票場や開票場の改善のみならず、郵便局を含めたシステムを改善することが重要である。そこで本発明では、投票カードを従来の投票通知葉書から電子的に処理可能な投票カードとし、郵便局の手間を自動化するために投票カードに記録された情報を読み取って、投票カードの数を査数する投票カード査数装置を設置する。更に投票場には、投票カードの情報を読み取るリーダライタを設置し、投票ブースには投票カードに電子的に候補者のデータを記録する手段を設ける。そして投票会場には、候補者データが記録された投票カードの情報を読み取るリーダライタを備える。この一連の手段を備えたシステムにより、従来の課題を解決するものである。
かかる発明によれば、郵便局を含めたシステムを構築することにより、投票場の受付の迅速化と、得票の正確性と迅速性を同時に実現することができる。
請求項２は、前記選挙人が前記投票場に投票カードを持参した場合、該投票カードのデータを前記受付リーダライタにより読み取り、当該選挙人が正規の選挙人であることを確認すると、該投票カードに受付データを登録すると共に、記録されている個人情報を全て消去して前記投票カードを投票券とすることを特徴とする。
そして受付の具体的な動作として、まず、郵送された投票カードを選挙人が投票場に持参すると、受付のリーダライタにより、そこに記録されている選挙人の個人情報を読み取り、本人確認を行う。本人確認が完了すると、投票カードに受付データを登録すると共に、記録されている個人情報を全て消去し、新たに投票券として利用するために選挙人に渡す。これにより投票カードと投票券を１枚のカードで兼用することができる。
かかる発明によれば、本人確認が完了すると投票カードに受付データを登録すると共に、個人情報が消去されて投票券として利用するので、投票カードを有効活用することができると共に、不正なカードの使用を検出することができる。
【０００６】
請求項３は、前記投票ブースは、前記候補者ごとに設置された投票ボタンと、押された投票ボタンに該当する候補者データを前記投票券に記録する投票リーダライタと、前記選挙人の意思により当該投票を無効にして再投票を要求する再投票ボタンと、投票後に前記投票券に記録された候補者名を表示する候補者表示部とを備えたことを特徴とする。
また、実際に投票を行う投票ブースでは、各候補者に対応する位置に投票ボタンがあり、投票券を指定の位置に載置して投票する候補者の投票ボタンを押すと、その候補者のデータが投票券に記録される。このとき、記録された候補者のデータが候補者表示部に自動的に表示されるので、間違いを見つけることができる。この表示部により確認した結果、候補者名が間違った場合は、再投票ができるように再投票ボタンを設けてある。
かかる発明によれば、投票券を指定の位置に載置して投票ボタンを押すと、正規の投票券か否かをチェックし、正規の投票券であれば自動的に投票券に候補者データが記録され、そのデータが正確かを確認することができるので、投票の正確性と迅速化を図ることができる。
請求項４は、前記選挙人は前記投票券を前記投票リーダライタに載置し、該当する選挙人の前記投票ボタンを押すことにより、前記受付データが登録されているか否かをチェックし、前記受付データが登録されている場合に限り、前記投票ボタンに該当する候補者のデータを前記投票券に記録し、該記録結果を前記候補者表示部に表示することを特徴とする。
かかる発明によれば、請求項３と同様の作用効果を奏する。
請求項５は、前記選挙人が前記再投票ボタンを押すことにより、前記投票券に記録された候補者データを消去し、再度該当する選挙人の投票ボタンを押すことにより、前記投票ボタンに該当する候補者のデータを前記投票券に記録し、該記録結果を前記候補者表示部に表示することを特徴とする。
投票ボタンを押して候補者のデータを投票券に記録した場合、そのデータが正しいか否かを確認する必要がある。そのため本発明では、投票券に記録後、そのデータの候補者名が表示部に表示されるようにした。これにより、そのデータが正しいか否かを確認できると共に、もし、間違った場合でも再投票ボタンにより記録したデータを消去して再度新しいデータを記録することができる。
かかる発明によれば、再投票ボタンを押すことにより投票券に記録された候補者データを消去できるので、間違って候補者を記録しても修正することができる。
【０００７】
請求項６は、前記投票カードは、磁化された磁気粉末により可視情報として表示窓に記録する可視磁気カードと、ループアンテナを介して、所定の変調方式に基づく搬送波を受信して内部電力を生成することにより、外部とのデータの授受を行う非接触ＩＣタグとを一体形成し、前記可視磁気カードの可視情報に選挙人名を記録し、前記非接触ＩＣタグに該選挙人の個人情報を記録することを特徴とする。
現在の投票規則を維持するためには、投票カードに何らかの方法により候補者名を表示する必要がある。そこで本発明では、投票カードの一方の面を可視磁気カードとし、他方の面をＩＣタグとすることにより、候補者名が可視情報として表示されながら、データはＩＣタグに記録される。
かかる発明によれば、可視磁気カードとＩＣタグを一体形成して投票カードを構成するので、電子的に可視情報の記録とデータの記録を同時に実現することができる。
請求項７は、前記受付リーダライタにより受付が完了すると、前記投票カードに受付データを登録すると共に、前記選挙人名及び個人情報が消去されて投票券となり、該投票券の表示窓に可視情報として前記投票ボタンに該当する候補者名を表示することを特徴とする。
選挙人が持参した投票カードの可視磁気カードには、選挙人の名前が表示されている。また、ＩＣタグには選挙人の個人情報が記録されている。そして、受付が完了すると、受付データを登録すると共に、個人情報は必要なくなるので全て消去される。そのとき可視磁気カードの選挙人名も同時に消去される。それにより、投票カードは無記名の投票券になる。そして、受付データがチェックされ、候補者の投票ボタンを押すとその候補者の名前が可視磁気カードの表示窓に表示されると共に、ＩＣタグには候補者データが記録される。
かかる発明によれば、受付が完了すると、受付データを登録すると共に、個人情報と可視磁気カードの選挙人名も同時に消去されるので、無記名の投票券として再利用することができる。
【０００８】
請求項８は、前記開票会場では、前記投票券に表示された候補者名を目視により確認して仕分けすると共に、前記投票券に記録されている候補者データを前記開票リーダライタにより計数し、前記仕分けされた各候補者ごとの得票数と開票リーダライタによる得票数が一致した場合に限り有効得票数として計数し、該有効得票数と無効票数の合計数と、前記受付リーダライタにより受付が完了した登録数とが一致した場合、前記有効得票数を候補者の得票数とすることを特徴とする。
可視磁気カードの表示窓には候補者名が表示されているので、開票の時にその表示窓に表示されている候補者ごとに仕分けする。この作業は従来の方法と同じである。そして仕分けが全て完了したとき、或いは仕分けの区切りで仕分けされた投票券のＩＣタグからデータを読み出して候補者ごとに集計する。このとき、目視により仕分けした数とＩＣタグからのデータを比較して、一致していればその数を有効得票数とする。そして全ての開票が完了した時点で、有効得票数と無効投票数の合計数と、受付リーダライタにより受付が完了した登録数とを比較して一致していれば、有効得票数を候補者の得票数とするものである。
かかる発明によれば、可視情報とＩＣタグ情報を比較するので、計数の間違いを即座に発見することができ、投票の公正さが維持される。
請求項９は、前記投票カードは、ループアンテナを介して、所定の変調方式に基づく搬送波を受信して内部電力を生成することにより、外部とのデータの授受を行う非接触ＩＣタグであり、該非接触ＩＣタグに前記選挙人の個人情報を記録することを特徴とする。
請求項７、８の投票カードは可視磁気カードとＩＣタグを一体形成して構成したが、完全に自動化するにはＩＣタグに記録されたデータのみで集計する必要がある。従って本発明の投票カードはＩＣタグのみで構成され、この中に個人情報が記録されている。
かかる発明によれば、投票カードをＩＣタグのみで構成するので、開票に人手が必要なくなり、開票の迅速性が大幅に向上する。
【０００９】
請求項１０は、前記受付リーダライタにより受付が完了すると、前記投票カードは個人情報が消去されて投票券となり、該投票券に前記投票ボタンに該当する候補者データを記録することを特徴とする。
そして、ＩＣタグによる投票カードの場合は、可視情報はないので、受付リーダライタにより受付が完了すると、投票カードは個人情報が消去されて投票券となり、投票は候補者のデータが記録されるだけとなる。
かかる発明によれば、投票カードがＩＣタグで構成されるので、データを消去するだけで投票券となり、投票もそのカードに候補者データを記録するだけで完了し、開票の迅速性が大幅に向上する。
請求項１１は、前記開票会場では、前記投票券に記録されている候補者データを前記開票リーダライタにより計数し、有効得票数と無効投票数の合計と、前記受付リーダライタにより受付が完了した登録数とが一致した場合、前記有効得票数を候補者の得票数とすることを特徴とする。
投票カードには候補者のデータのみが記録されているので、投票時に即座に集計が可能となり、投票が完了した時点で全ての得票を集計することができる。或いは、開票場で開票する場合でも、人手により可視情報を見て仕分けする必要がなく、あるブロック単位で一括してデータを読むことも可能である。
かかる発明によれば、開票リーダライタにより一括して計数が可能であるので、開票の迅速性が大幅に向上するだけでなく、選挙管理経費の大幅な削減が可能となる。
【００１０】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の第１の実施形態に係る選挙管理システムの構成図である。この選挙管理システムは、まず、管轄する役所１により選挙人の住所、氏名を表面に記入した封筒２の中に、可視磁気カードとＩＣタグで構成される投票カード３（詳細は後述する）を封入する。この投票カード３の図示しない可視磁気カードの表示窓には各選挙人の氏名が予め記録さていて、ＩＣタグには各選挙人の個人情報が記録されている。そして投票カード３を封入した封筒を郵便局４に持参して配達を依頼する。役所１では封筒２の数を予め計数しておき、そのデータを郵便局４に知らせておく。これは、郵便局内で封筒が紛失した場合に対処したり、或いは不正に使用されることを未然に防止するためである。郵便局４に設置された区分機５（封筒を仕分けして配達先毎に区分けする装置）には、封筒２に同封された投票カードの数を計数するための投票カード査数装置６が備えられている。この投票カード査数装置６は一種のリーダライタの機能を備え、区分機５が封筒を区分けをする過程で、ベルトコンベアで搬送された封筒２の中の投票カード３に記録されたデータを読み取ることにより計数が可能となる。尚、投票カード査数装置６は、投票カードの数を計数するばかりでなく、各選挙人の個人情報も併せて読み取っても構わない。そして郵便局４により区分けされた封筒は、各選挙人（有権者）７に配達される。各選挙人７は投票日の当日になると、封筒２から取り出した投票カード３を持参して投票会場８に出向く。投票会場８では選挙人７が持参した投票カード３を受付リーダライタ９に投入してＩＣタグに記録された個人情報を読み取り、正規の投票カードであると認識されると、投票カード３上のＩＣタグに受付データを登録して選挙人名と個人情報を全て消去する。これにより投票カード３は無記名の投票券となり、選挙人に返却される。尚、上記では受付リーダライタ９が無人の場所に設置された場合について説明したが、本人確認のために受付リーダライタ９を係員のそばに置いて受付を行っても構わない。
【００１１】
投票券を受け取った選挙人７は、投票ブース１０に行き、投票券を投票リーダライタ１３に載置する。投票ブース１０は、前面に掲示されている候補者名と対応する位置に投票ボタン１４を備えており、選挙人が投票したい候補者の投票ボタンを押すと、投票リーダライタ１３は載置された投票券のＩＣタグの情報を読み取り、ＩＣタグに受付データが登録されているか否かを確認する。受付データが登録されていれば、正規に受付が完了した投票券であると認識して、押された投票ボタン１４に該当する候補者のデータをＩＣタグに記録すると共に、可視磁気カードの表示窓に候補者の氏名を可視情報として記録する。そして、投票リーダライタ１３は投票券に記録された候補者データを即座に読み出し、正しく記録されているか否かのチェックを行い、正しく記録されていれば、その内容を表示部１１に表示する。
選挙人７は、表示部１１に表示された候補者が自分が選んだ候補者であれば、投票リーダライタ１３に載置した投票券を投票箱に投函する。選挙人７は表示された候補者が自分が選んだ候補者でない場合、再投票ボタン１２を押す。これにより、投票リーダライタ１３は投票券の受付登録データ以外の全てのデータを消去する。そして、選挙人は改めて前記と同じように投票を行う。尚、再投票ボタン１２の使用回数に制限を設けても構わない。
【００１２】
このようにして投票が行われ、投票終了時間になると、投票箱が封印され、開票会場１５に搬送される。開票会場１５では、運ばれた投票箱を選挙管理人の立会いの下で開封する。投票券には可視磁気カードの表示窓に候補者の氏名が表示され、ＩＣタグには候補者データが記録されているので、開票員は表示窓の候補者の氏名を確認しながら仕分けを行う。このとき、表示窓の候補者の氏名が不鮮明で読み取れない場合は、ＩＣタグのデータと照合して最終的に選挙管理人の判断により有効票か無効票かが判断される。そして全ての仕分けが完了すると、投票券に記録されている候補者データを開票リーダライタ１８により計数し、仕分けされた各候補者ごとの得票数と開票リーダライタ１８による得票数が一致した場合に限り有効得票数として計数し、この有効得票数と無効票数の合計数と、投票会場８の受付リーダライタ９により受付が完了した登録数を比較し、一致した場合、この有効得票数を候補者の得票数とする。
【００１３】
図２は本発明の第１の実施形態で使用される投票カード３の構成を表す図であり、（ａ）は上面図、（ｂ）は側面図である。この投票カード３は、磁化された磁気粉末により可視情報として表示窓２１に記録する可視磁気カード２０と、図示しないループアンテナを介して、所定の変調方式に基づく搬送波を受信して内部電力を生成することにより、外部とのデータの授受を行う非接触ＩＣタグ２２とをサンドイッチ状に一体形成し、可視磁気カード２０の可視情報に選挙人名を記録し、非接触ＩＣタグ２２にこの選挙人の個人情報を記録するものである。そして受付が完了すると受付データが非接触ＩＣタグ２２に登録され、それと同時に可視磁気カード２０の表示窓２１のデータを消去する。尚、この例では可視磁気カード２０と非接触ＩＣタグ２２とをサンドイッチ状に一体形成して、表示窓２１が見える位置に配置しているが、同一平面上に形成しても良い。
【００１４】
図３は本発明の第２の実施形態に係る選挙管理システムの構成図である。図３が図１と異なる点は、投票カード３３がＩＣタグのみで構成され、開票会場４５において、目視による開票を省略した点である。以下、概略を説明する。この選挙管理システムは、まず、管轄する役所３１により選挙人の住所、氏名が記入された封筒３２の中に、ＩＣタグで構成される投票カード３３を封入する。この投票カード３３のＩＣタグには各選挙人の個人情報が記録されている。そして投票カード３を封入した封筒を郵便局３４に持参して配達を依頼する。このとき、役所３１では封筒３２の数を予め計数しておき、そのデータを郵便局３４に知らせておく。これは、、郵便局内で封筒が紛失した場合に対処したり、或いは不正に使用されることを未然に防止するためである。そこで、郵便局３４に設置された区分機３５に封筒３２に同封された投票カードの数を計数するための投票カード査数装置３６が備えられている。この投票カード査数装置３６は一種のリーダライタの機能を備え、区分機３５が区分けをする過程で、ベルトコンベアで搬送された封筒３２の中の投票カード３３に記録されたデータを読み取ることにより可能である。尚、投票カードの数を計数するばかりでなく、各選挙人の個人情報も併せて読み取っても構わない。そして郵便局３４により区分けされた封筒は、各選挙人（有権者）３７に配達される。各選挙人３７は投票日の当日になると、封筒３２から取り出した投票カード３３を持参して投票会場３８に出向く。投票会場３８では選挙人３７が持参した投票カード３３を受付リーダライタ３９に投入してＩＣタグに記録された個人情報を読み取り、正規の投票カードであると認識されると、ＩＣタグに受付データを登録して個人情報を全て消去する。これにより投票カード３３は無記名の投票券となり、選挙人に返却される。尚、上記では受付リーダライタ３９が無人の場所に設置された場合について説明したが、本人確認のために受付リーダライタ３９を係員のそばに置いて受付を行っても構わない。
【００１５】
投票券を受け取った選挙人３７は投票ブース４０に行き、投票券を投票リーダライタ４３に載置する。投票ブース４０は、前面に掲示されている候補者名と対応する位置に投票ボタン４４が備えられ、選挙人が投票したい候補者の投票ボタンを押すと、投票リーダライタ４３は載置された投票券のＩＣタグの情報を読み取り、受付データが登録されているか否かを確認する。受付データが登録されていれば、正規に受付が完了した投票券であると認識して、ＩＣタグに候補者のデータを記録する。そして、投票リーダライタ４３は投票券に記録された候補者データを即座に読み出し、正しく記録されているか否かのチェックを行い、正しく記録されていれば、その内容を表示部４１に表示する。
選挙人３７は表示部４１に表示された候補者が自分が選んだ候補者であれば、投票リーダライタ４３に載置した投票券を投票箱に投函する。また、選挙人３７は表示された候補者が自分が選んだ候補者でない場合、再投票ボタン４２を押す。これにより、投票リーダライタ４３は投票券の受付登録データ以外の全てのデータを消去する。そして、選挙人は改めて前記と同じように投票を行う。尚、再投票ボタン４２の使用回数に制限を設けても構わない。
このようにして投票が行われ、投票終了時間になると、投票箱が封印され、開票会場４５に搬送される。開票会場４５では運ばれた投票箱を選挙管理人の立会いの下で開封される。投票券のＩＣタグには候補者データが記録されているので、投票券に記録されている候補者データを開票リーダライタ４８により計数し、有効得票数と無効票数の合計数と、投票会場３８の受付リーダライタ３９により受付が完了した登録数とを比較し、一致した場合、この有効得票数を候補者の得票数とする。
【００１６】
図４は本発明の第１の実施形態に係る選挙管理システムの役所から投票場までの流れを説明するフローチャートである。尚、フローチャートの横のカッコ内に書かれている内容は、この動作に該当する場所を表している。まず、管轄する役所１により選挙人の住所、氏名が記入された封筒２の中に、可視磁気カードとＩＣタグで構成される投票カード３を封入する（Ｓ１）。そして投票カード３を封入した封筒を郵便局４に持参して配達を依頼する。そして、郵便局４に設置された区分機５に封筒２に同封された投票カードの数を計数するための投票カード査数装置６により、ベルトコンベアで搬送された封筒２の中の投票カード３に記録されたデータを読み取る（Ｓ２）。そして郵便局４により区分けされた封筒は、各選挙人（有権者）７に配達される（Ｓ３）。各選挙人７は投票カードに自分の名前が記録されているか否かを確認し（Ｓ４）、もし、間違った名前の場合（Ｓ５でＮＯのルート）、役所に連絡して再発行を依頼する（Ｓ１３）。ステップＳ５で正しい名前が記録されていれば（Ｓ５でＹＥＳのルート）、各選挙人７は投票日の当日になると、封筒２に同封された投票カード３を持参して投票会場８に出向く。投票会場８では選挙人７が持参した投票カード３を受付リーダライタ９に投入してＩＣタグに記録された個人情報を読み取り、正規の投票カードであると認識されると、ＩＣタグに受付データを登録して選挙人名と個人情報を全て消去する（Ｓ６）。これにより投票カード３は無記名の投票券となり、選挙人に返却される（Ｓ７）。
投票券を受け取った選挙人７は投票ブース１０に行き、投票券を投票リーダライタ１３に載置する。投票ブース１０は、前面に掲示されている候補者名と対応する位置に投票ボタン１４が備えられ、選挙人が投票したい候補者の投票ボタンを押すと（Ｓ８）、投票リーダライタ１３は載置された投票券のＩＣタグの情報を読み取り、受付データが登録されているか否かを確認する（Ｓ９）。受付データが登録されていない場合は（Ｓ９でＮＯのルート）、ステップＳ６に戻って受付をやり直す。ステップＳ９で受付データが登録されていれば（Ｓ９でＹＥＳのルート）、正規に受付が完了した投票券であると認識して、ＩＣタグに候補者のデータを記録すると共に、可視磁気カードの表示窓に候補者の氏名を可視情報として記録する。そして、投票リーダライタ１３は投票券に記録された候補者データを即座に読み出し、正しく記録されているか否かのチェックを行い、正しく記録されていれば、その内容を表示部１１に表示する。選挙人７は表示された候補者が自分が選んだ候補者であれば（Ｓ１０でＹＥＳのルート）、投票リーダライタ１３に載置した投票券を投票箱に投函する（Ｓ１１）。また、ステップＳ１０で選挙人７は表示された候補者が自分が選んだ候補者でない場合、再投票ボタン１２を押す。これにより、投票リーダライタ１３は投票券の受付登録データ以外の全てのデータを消去する（Ｓ１２）。そして、選挙人は改めて前記と同じように投票を行う。
【００１７】
図５は本発明の第１の実施形態に係る選挙管理システムの開票会場での流れを説明するフローチャートである。図４のようにして投票が行われ、投票終了時間になると、投票箱が封印され、開票会場１５に搬送される。開票会場１５では運ばれた投票箱を選挙管理人の立会いの下で開封される。投票券には可視磁気カードの表示窓に候補者の氏名が表示され、ＩＣタグには候補者データが記録されているので、開票員は表示窓の候補者の氏名を確認しながら仕分けを行う（Ｓ４１）。そして全ての仕分けが完了すると、投票券に記録されている候補者データを開票リーダライタ１８により計数し（Ｓ４２）、仕分けされた各候補者ごとの得票数と開票リーダライタ１８による得票数を比較し（Ｓ４３）、一致した場合（Ｓ４３でＹＥＳのルート）に限り有効得票数として計数し（Ｓ４４）、それと同時に無効票数を集計する（Ｓ４５）。そして有効得票数と無効票数の合計を計数し（Ｓ４６）、この合計値と投票会場８の受付リーダライタ９により受付が完了した登録数を比較し（Ｓ４７）、一致した場合（Ｓ４７でＹＥＳのルート）、この有効得票数を候補者の得票数とする（Ｓ４８）。
【００１８】
図６は本発明の第２の実施形態に係る選挙管理システムの役所から投票場までの流れを説明するフローチャートである。尚、フローチャートの横のカッコ内に書かれている内容は、この動作に該当する場所を表している。まず、管轄する役所３１により選挙人の住所、氏名が記入された封筒３２の中に、ＩＣタグで構成される投票カード３３を同封する（Ｓ２１）。そして全ての封筒を準備すると、それを郵便局３４に持参して配達を依頼する。そして、郵便局３４に設置された区分機３５に封筒３２に同封された投票カードの数を計数するための投票カード査数装置３６により、ベルトコンベアで搬送された封筒３２の中の投票カード３３に記録されたデータを読み取る（Ｓ２２）。そして郵便局３４により区分けされた封筒は、各選挙人（有権者）３７に配達される（Ｓ２３）。各選挙人３７は投票カードに自分の名前が記録されているか否かを確認し（Ｓ２４）、もし、間違った名前の場合（Ｓ２５でＮＯのルート）、役所に連絡して再発行を依頼する（Ｓ３２）。ステップＳ２５で正しい名前が記録されていれば（Ｓ２５でＹＥＳのルート）、各選挙人３７は投票日の当日になると、封筒３２に同封された投票カード３３を持参して投票会場３８に出向く。投票会場３８では選挙人３７が持参した投票カード３３を受付リーダライタ３９に投入してＩＣタグに記録された個人情報を読み取り、正規の投票カードであると認識されると、ＩＣタグに受付データを登録して個人情報を全て消去する（Ｓ２６）。これにより投票カード３３は無記名の投票券となり、選挙人に返却される（Ｓ２７）。
投票券を受け取った選挙人３７は投票ブース４０に行き、投票券を投票リーダライタ４３に載置する。投票ブース４０は、前面に掲示されている候補者名と対応する位置に投票ボタン４４が備えられ、選挙人が投票したい候補者の投票ボタンを押すと（Ｓ２８）、投票リーダライタ４３は載置された投票券のＩＣタグの情報を読み取り、受付データが登録されているか否かを確認する（Ｓ２９）。受付データが登録されていない場合は（Ｓ２９でＮＯのルート）、ステップＳ２６に戻って受付をやり直す。ステップＳ２９で受付データが登録されていれば（Ｓ２９でＹＥＳのルート）、正規に受付が完了した投票券であると認識して、ＩＣタグに候補者のデータを記録する。そして、投票リーダライタ４３は投票券に記録された候補者データを即座に読み出し、正しく記録されているか否かのチェックを行い、正しく記録されていれば、その内容を表示部４１に表示する。選挙人３７は表示された候補者が自分が選んだ候補者であれば（Ｓ３０でＹＥＳのルート）、投票リーダライタ４３に載置した投票券を投票箱に投函する（Ｓ３１）。また、ステップＳ３０で選挙人３７は表示された候補者が自分が選んだ候補者でない場合、再投票ボタン４２を押す。これにより、投票リーダライタ４３は投票券の受付登録データ以外の全てのデータを消去する（Ｓ３３）。そして、選挙人は改めて前記と同じように投票を行う。
【００１９】
図７は本発明の第２の実施形態に係る選挙管理システムの開票会場での流れを説明するフローチャートである。図６のようにして投票が行われ、投票終了時間になると、投票箱が封印され、開票会場４５に搬送される。開票会場４５では運ばれた投票箱を選挙管理人の立会いの下で開封される。投票券のＩＣタグには候補者データが記録されているので、開票員は投票券に記録されている候補者データを開票リーダライタ４８により計数し（Ｓ５１）、有効得票数を計数し（Ｓ５２）、それと同時に無効票数を集計する（Ｓ５３）。そして有効得票数と無効票数の合計を計数し（Ｓ５４）、この合計値と投票会場３８の受付リーダライタ３９により受付が完了した登録数を比較し（Ｓ５５）、一致した場合（Ｓ５５でＹＥＳのルート）、この有効得票数を候補者の得票数とする（Ｓ５６）。
以上の通り、本発明の最も大きな特徴は、従来の投票用紙による投票ではなくＩＣタグと可視磁気カードを使用することにより、投票場の受付の迅速化と得票の正確性並びに迅速性を大幅に実現することができる点である。さらに、投票用紙は１度だけの使用で破棄されるが、ＩＣタグと可視磁気カードはデータを消去することによりかなりの回数再使用が可能となり、資源を有効活用することにより投票コスト（用紙代や印刷コスト）の削減と環境対策に大きく貢献することができる。
【００２０】
【発明の効果】
以上記載のごとく請求項１の発明によれば、郵便局を含めたシステムを構築することにより、投票場の受付の迅速化と、得票の正確性と迅速性を同時に実現することができる。
また請求項２では、本人確認が完了すると投票カードに受付データを登録すると共に、個人情報が消去されて投票券として利用するので、投票カードを有効活用することができると共に、不正なカードの使用を検出することができる。
また請求項３では、投票券を指定の位置に載置して投票ボタンを押すと、正規の投票券か否かをチェックし、正規の投票券であれば自動的に投票券に候補者データが記録され、そのデータが正確かを確認することができるので、投票の正確性と迅速化を図ることができる。
また請求項４では、請求項３と同様の作用効果を奏する。
また請求項５では、再投票ボタンを押すことにより投票券に記録された候補者データを消去できるので、間違って候補者を記録しても修正することができる。
また請求項６では、可視磁気カードとＩＣタグを一体形成して投票カードを構成するので、電子的に可視情報の記録とデータの記録を同時に実現することができる。
また請求項７では、受付が完了すると、受付データを登録すると共に、個人情報と可視磁気カードの選挙人名も同時に消去されるので、無記名の投票券として再利用することができる。
また請求項８では、可視情報とＩＣタグ情報を比較するので、計数の間違いを即座に発見することができ、投票の公正さが維持される。
また請求項９では、投票カードをＩＣタグのみで構成するので、開票に人手が必要なくなり、開票の迅速性が大幅に向上する。
また請求項１０では、投票カードがＩＣタグで構成されるので、データを消去するだけで投票券となり、投票もそのカードに候補者データを記録するだけで完了し、開票の迅速性が大幅に向上する。
また請求項１１では、開票リーダライタにより一括して計数が可能であるので、開票の迅速性が大幅に向上するだけでなく、選挙管理経費の大幅な削減が可能となる。
【図面の簡単な説明】
【図１】本発明の第１の実施形態に係る選挙管理システムの構成図である。
【図２】本発明の第１の実施形態で使用される投票カード３の構成を表す図であり、（ａ）は上面図、（ｂ）は側面図である。
【図３】本発明の第２の実施形態に係る選挙管理システムの構成図である。
【図４】本発明の第１の実施形態に係る選挙管理システムの役所から投票場までの流れを説明するフローチャートである。
【図５】本発明の第１の実施形態に係る選挙管理システムの開票会場での流れを説明するフローチャートである。
【図６】本発明の第２の実施形態に係る選挙管理システムの役所から投票場までの流れを説明するフローチャートである。
【図７】本発明の第２の実施形態に係る選挙管理システムの開票会場での流れを説明するフローチャートである。
【符号の説明】
３  投票カード、４  郵便局、６  投票カード査数装置、８  投票場、９  受付リーダライタ、１０  投票ブース、１１  表示部、１２再投票ボタン、１３  投票リーダライタ、１４  投票ボタン、１５  開票会場、１８  開票リーダライタ
【図１】
2005031923.tif 000003
【図２】
2005031923.tif 000004
【図３】
2005031923.tif 000005
【図４】
2005031923.tif 000006
【図５】
2005031923.tif 000007
【図６】
2005031923.tif 000008
【図７】
2005031923.tif 000009